(57)【要約】【課題】この発明は、複数枚の原稿であって１または複数ページ単位で複数の分類がある原稿をコピーしたい場合において、各出力紙がいずれの分類に属するかを認識することができるとともに、各分類項目名を認識できるようになる画像形成装置を提供することを目的とする。【解決手段】索引付き複写モードが選択された際に、分類項目毎に分類項目名とそのページ範囲を入力させるための入力手段、ならびに索引付き複写モードによる複写処理時には、各出力紙の端部にはその出力紙が属する分類項目に対応した位置に、その出力紙がいずれの分類に属するかを示すマーキングを印刷するとともに索引となる表示を印刷して出力する手段を備えており、索引となる表紙には、各分類項目毎の上記マーキングに対応する位置に、対応する分類項目名が印刷されている。【選択図】  図１
2004350101.tif 000002
【特許請求の範囲】
【請求項１】
複数枚の原稿であって１または複数ページ単位で複数の分類がある原稿に対する複写モードとして、索引付き複写モードが用意されている画像形成装置であって、
索引付き複写モードが選択された際に、分類項目毎に分類項目名とそのページ範囲を入力させるための入力手段、ならびに索引付き複写モードによる複写処理時には、各出力紙の端部にはその出力紙が属する分類項目に対応した位置に、その出力紙がいずれの分類に属するかを示すマーキングを印刷するとともに索引となる表示を印刷して出力する手段を備えており、
索引となる表紙には、各分類項目毎の上記マーキングに対応する位置に、対応する分類項目名が印刷されていることを特徴とする画像形成装置。
【請求項２】
索引となる表紙には、各分類項目毎の上記マーキングに対応する位置に、対応する分類項目のページ範囲が印刷されていることを特徴とする請求項１に記載の画像形成装置。
【発明の詳細な説明】
【０００１】
【産業上の利用分野】
この発明は、複写機等の画像形成装置に関する。
【０００２】
【従来の技術】
ファクシミリ機能、複写機能等を備えた画像形成装置として、出力トレー上に複数のジョブに対応する出力紙が積載された場合に、出力紙をジョブ毎に区別できるように、各ジョブ毎の出力紙束の最上紙にジョブ単位識別用のマーキングを印刷したり、各ジョブ毎の最終出力紙の後にジョブ単位識別用のマーキングが印刷された白紙を挿入したりする機能を備えたものが既に開発されている（特開平８−２０１５２号公報参照）。
【０００３】
上記従来例では、マーキングによって、ジョブ毎の出力紙束の区切りを認識することはできるが、マーキングされた出力束の内容を認識することはできない。
【０００４】
【特許文献】特開平８−２０１５２号公報
【０００５】
【発明が解決しようとする課題】
この発明は、複数枚の原稿であって１または複数ページ単位で複数の分類がある原稿をコピーしたい場合において、各出力紙がいずれの分類に属するかを認識することができるとともに、各分類項目名を認識できるようになる画像形成装置を提供することを目的とする。
【０００６】
【課題を解決するための手段】
請求項１に記載の発明は、複数枚の原稿であって１または複数ページ単位で複数の分類がある原稿に対する複写モードとして、索引付き複写モードが用意されている画像形成装置であって、索引付き複写モードが選択された際に、分類項目毎に分類項目名とそのページ範囲を入力させるための入力手段、ならびに索引付き複写モードによる複写処理時には、各出力紙の端部にはその出力紙が属する分類項目に対応した位置に、その出力紙がいずれの分類に属するかを示すマーキングを印刷するとともに索引となる表示を印刷して出力する手段を備えており、索引となる表紙には、各分類項目毎の上記マーキングに対応する位置に、対応する分類項目名が印刷されていることを特徴とする。
【０００７】
請求項２に記載の発明は、請求項１に記載の画像形成装置において、索引となる表紙には、各分類項目毎の上記マーキングに対応する位置に、対応する分類項目のページ範囲が印刷されていることを特徴とする。
【０００８】
【発明の実施の形態】
以下、図面を参照して、この発明を、複写機に適用した場合の実施の形態について説明する。
【０００９】
図１は、デジタル複写機の概略構成を示している。
【００１０】
デジタル複写機は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１１】
画像形成部４０は、レーザスキャンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネル付きの液晶表示部５２と、ＬＥＤ表示部５３とを備えている。
【００１２】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１３】
このデジタル複写機は、複写モードとして、索引付き複写モードを備えている。液晶表示部５２に表示されて基本画面からユーザが索引付き複写モードを選択すると、図２に示すような、分類項目数を入力するための分類項目数設定画面が表示される。ユーザが、分類項目数設定画面上で、分類項目数を入力した後、ＯＫキーを押すと、図３に示すような索引作成用設定画面が表示される。索引作成用設定画面には、分類項目数に応じた数の分類項目名入力部が表示されるとともに、各分類項目名入力部毎に、その分類のページ範囲（開始ページと終了ページ）を入力するためのページ範囲入力部が表示される。
【００１４】
ユーザが、図４に示すように、各分類項目名入力部に分類項目名を入力するとともに、各ページ範囲入力部に開始ページと終了ページとを入力した後、スタートキーを押すと、索引付き複写モードでの複写処理が開始される。
【００１５】
図４の例では、分類項目は３つであり、分類項目名は、それぞれ”第１章”、”第２章”、”第３章”となっている。”第１章”のページ範囲は１〜５ページである。”第２章”のページ範囲は６〜１０ページである。”第３章”のページ範囲は１１〜１５ページである。
【００１６】
索引付き複写モードでの複写処理では、図５または図６に示すように、各出力紙の端部にはその出力紙が属する分類項目に対応した位置に、その出力紙がいずれの分類に属するかを示すマーキング７１が印刷されるとともに、索引となる表紙６０が作成されて出力される。マーキング７１の印刷位置は、分類項目によって異なっている。この例では、マーキング７１は四角の塗りつぶしが用いられている。
【００１７】
この例では、分類項目”第１章”に対応するマーキング７１は、出力紙の右端の上側部に印刷され、分類項目”第２章”に対応するマーキング７１は、分類項目”第１章”に対応するマーキング７１より下側に印刷され、分類項目”第３章”に対応するマーキング７１は、分類項目”第２章”に対応するマーキング７１より下側に印刷されている。
【００１８】
索引となる表紙６０には、各分類項目のマーキング７１に対応する位置それぞれに、マーキング６１が印刷されるとともに、表紙６０上の各マーキング６１に対応した位置に、分類項目名とそのページ範囲とが印刷される。
【００１９】
この例では、索引となる表紙６０には、出力紙束に印刷された各分類項目”第１章”、”第２章”および”第３章”のマーキング７１に対応した位置それぞれにマーキング６１が印刷されている。そして、分類項目”第１章”に対応するマーキング６１の左側に、分類項目名を示す”第１章”の文字列と、そのページ範囲を示す（１〜５）の記号および数字が印刷されている。
【００２０】
同様に、分類項目”第２章”に対応するマーキング６１の左側に、分類項目名を示す”第２章”の文字列と、そのページ範囲を示す（６〜１０）の記号および数字が印刷されている。同様に、分類項目”第３章”に対応するマーキング６１の左側に、分類項目名を示す”第３章”の文字列と、そのページ範囲を示す（１１〜１５）の記号および数字が印刷されている。
【００２１】
【発明の効果】
この発明によれば、複数枚の原稿であって１または複数ページ単位で複数の分類がある原稿をコピーしたい場合において、各出力紙がいずれの分類に属するかを認識することができるとともに、各分類項目名を認識できるようになる。
【図面の簡単な説明】
【図１】デジタル複写機の概略構成を示すブロック図である。
【図２】分類項目数設定画面の一例を示す模式図である。
【図３】索引作成用設定画面の一例を示す模式図である。
【図４】索引作成用設定画面上で、各分類項目名とページ範囲が入力された状態を示すもし機図である。
【図５】索引付き複写モードでの複写処理によって出力された出力紙束および表紙を示す模式図である
【図６】索引付き複写モードでの複写処理によって出力された出力紙束および表紙を示す斜視図である
【符号の説明】
１０  スキャナ部
２０  制御部
３０  ハードディスク（ＨＤＤ）
４０  画像形成部
５０  ユーザ操作部
６０  索引となる表紙
６１  マーキング
７１  マーキング
【図１】
2004350101.tif 000003
【図２】
2004350101.tif 000004
【図３】
2004350101.tif 000005
【図４】
2004350101.tif 000006
【図５】
2004350101.tif 000007
【図６】
2004350101.tif 000008